【事件の表示】
　平成　５年特許願第１１９２６８号「映像信号のモード判別装置および再生装置ならびに映像信号のモード判別方法および再生方法」拒絶査定に対する審判事件［平成　６年１１月　４日出願公開、特開平　６−３１１４４５］について、次のとおり審決する。
【結　論】
　本件審判の請求は、成り立たない。
【理　由】
１．手続きの経緯、本願発明
　本願は、平成５年４月２３日の出願であって、その特許請求の範囲の請求項１ないし４に係る各発明は、平成１１年３月１６日付け、平成１３年１２月７日付け、平成１４年６月７日付け手続補正書により補正された明細書および図面の記載からみて、請求項１ないし４にそれぞれ記載されたとおりのものであると認められるところ、請求項１に係る発明は次のとおりのものである。
「映像信号を入力し、垂直同期信号に相当する同期信号のリーディング・エッジを検出する同期信号検出手段、
　上記同期信号検出手段によりリーディング・エッジが検出されたことに応じてリセットされ、上記リーディング・エッジの検出後、所定期間内に所定数以上のパルスが上記映像信号に含まれていることまたは含まれていないことを示す信号を出力するパルス検出手段、および
　上記パルス検出手段から所定数以上のパルスが含まれていることを示す信号が出力されたことに応答して上記映像信号が正規の映像信号であると判別し、かつ所定数以上のパルスが含まれていないことを示す信号が出力されたことに応答して上記映像信号が特殊の映像信号であると判別する映像信号判別手段、
　を備えた映像信号のモード判別装置。」
　
２．引用例
　これに対して、原査定の拒絶理由に引用された特開平４−１６６８９１号公報（平成４年６月１２日公開、以下「引用例１」という。）には、名称を「表示装置」とする発明について、次のとおりの記載がなされている。
（ａ）「ビデオ信号、垂直同期パルス、水平同期パルス、および等化パルスを含む所定の表示モードの複合ビデオ信号により画面表示を行う表示装置において、上記複合ビデオ信号から垂直同期パルスと水平同期パルスおよび等化パルスを分離する分離手段と、上記垂直同期パルスと同期して単一パルスを発生させるパルス発生手段と、上記単一パルスのパルス期間に含まれる水平同期パルスおよび等化パルスをカウントする計数手段を備え、上記計数手段の出力によって表示モードの識別を行うことを特徴とした表示装置。」（第１頁の特許請求の範囲）
（ｂ）「同一表示装置で異なった表示モードによる画面表示を行う際、表示装置側ではビデオ信号発生装置から送られてきたビデオ信号がどのような表示モードで表されているかを識別し、その表示モードに応じてビデオ信号を処理しなければならない。」（第２頁左上欄下から４行ないし右上欄１行目）
（ｃ）「まず、ＴＶカメラ等のビデオ信号発生装置で発生させた複合ビデオ信号は、表示装置内のビデオ回路に送られるとともに同期分離回路１へ送られる。第３図中ａは正電位のビデオ信号と負電位の同期信号からなる複合ビデオ信号波形を示したものであり、本実施例では、表示モードの違いに応じてビデオブランキング期間における同期パルスの配列が異なる３つの信号波形例が示されている。即ち、ａ（１）は水平同期パルスに何らの変調も加えられていないもの、ａ（２）は垂直同期期間の水平同期パルスが除去されているもの、ａ（３）は水平同期パルスの周期Ｈの半分の周期１／２Ｈを有する等化パルスが重畳されているものである。
　以上のａ（１）、ａ（２）あるいはａ（３）のいずれかで表された複合ビデオ信号は同期分離回路１において垂直同期パルスと水平同期パルスおよび等化パルスに分離される。・・・この同期信号は、その中に含まれるパルスの周期の違いを利用し、抵抗１２とキャパシタ１３からなる積分回路によって垂直同期パルスと水平同期パルスおよび等化パルスに分離される。ｄ（１）、ｄ（２）、ｄ（３）はそれぞれａ（１）、ａ（２）、ａ（３）から分離された水平同期パルスおよび等化パルスを示したものである。」（第３頁右上欄１１ないし左下欄下から４行目）
（ｄ）「これらの信号がａ（１）、ａ（２）、ａ（３）で表された３つの表示モードのいずれであるかを識別するための識別信号は以下のようにして得られる。即ち、同期分離回路１により分離された垂直同期パルスｂはパルス発生回路２をトリガし、所定のパルス期間Ｔａを有する単一パルスｃを発生させる。本実施例では、Ｈ＜Ｔａ＜３／２Ｈに設定する。そしてこの単一パルスｃをゲート回路３に入力しパルス期間Ｔａの間だけゲートを開く。一方、同期分離回路１により分離された水平同期パルスおよび等化パルスｄは上記パルス期間Ｔａの間にゲート回路３を通過してカウンタ４に送られる。そしてカウンタ４は、第３図中点線で示したパルス期間Ｔａ内の水平同期パルスおよび等化パルスｄのパルス数をカウントし、カウント数に応じた信号を出力する。即ち、第３図から明らかなようにｄ（１）、ｄ（２）、ｄ（３）に対応して各々カウント数２、１、３が出力されることになり、この出力を表示モードの識別信号として用いることができる。」（第３頁右下欄１ないし下から１行目）
　
３．対比
　本願の前記請求項１に係る発明（以下「本願発明」という）と引用例１に記載された発明（以下「引用発明」という）とを対比すると次のことが認められる。
（イ）引用発明は、引用例１の前掲記載（ａ）、（ｃ）、（ｄ）によれば、異なる表示モードの複合ビデオ信号（本願発明でいう映像信号）を入力し、それらの表示モードを識別する装置を対象としていることから、本願発明と同様「映像信号のモード判別装置」を対象とするものといえ、また、引用発明のパルス発生手段２では、複合ビデオ信号から分離した垂直同期パルスと同期して、所定のパルス期間Ｔａを有する単一パルスを発生させていることから、本願発明でいうのと同様「映像信号を入力し、垂直同期信号に相当する同期信号のリーディング・エッジを検出する同期信号検出手段」を備えていることは明らかである。
（ロ）本願発明でいう「パルス検出手段」と「映像信号判別手段」は、基本的に、上記リーディング・エッジの検出後、所定期間内に映像信号に含まれるパルスをカウントしカウント数に応じた信号を出力し、出力された信号に応答して上記映像信号がいかなるモードの映像信号であるのか判別するものであることが明らかであるところ、引用例１の前掲記載（ｃ）、（ｄ）によれば、引用発明でも、計数手段３、４は、上記垂直同期パルスと同期した単一パルスのパルス期間Ｔａに含まれる水平同期パルスおよび等化パルスをカウントし、カウント数に応じた信号を出力するのであるから、両者はいずれも「上記リーディング・エッジの検出後、所定期間内に映像信号に含まれるパルスをカウントし、カウント数に応じた信号を出力するパルス検出手段」を備えているといえる。
　さらに、引用例１の前掲記載（ｂ）によれば、引用発明の装置では、ビデオ信号発生装置から送られてきたビデオ信号（本願発明でいう映像信号）がどのような表示モードで表されているかを識別し、その表示モードに応じてビデオ信号を処理するのであるから、両者はいずれも「上記パルス検出手段からの信号に応答して上記映像信号がいかなるモードの映像信号かを判別する映像信号判別手段」を備えているといえる。
（ハ）しかしながら、本願発明は、上記パルス検出手段が同期信号検出手段によりリーディング・エッジが検出されたことに応じてリセットされるようになされているところ、引用発明ではリセットについては開示がない。
（ニ）また、本願発明では、上記カウント数に応じた信号として「所定期間内に所定数以上のパルスが上記映像信号に含まれていることまたは含まれていないことを示す信号」を出力し、また、上記映像信号判別手段は「パルス検出手段から所定数以上のパルスが含まれていることを示す信号が出力されたことに応答して上記映像信号が正規の映像信号であると判別し、かつ所定数以上のパルスが含まれていないことを示す信号が出力されたことに応答して上記映像信号が特殊の映像信号であると判別する」ものであるところ、引用発明は、カウント数に応じた信号としてカウント数（引用例１の前掲記載（ｄ）でいうように例えばカウント数２、１、３）が出力され、当該出力されたカウント数に応答して映像信号の表示モードを判別するものである。
　
　以上の対比結果によれば、本願発明と引用発明との一致点、相違点は次のとおりであると認めることができる。
［一致点］
　両者は、いずれも
「映像信号を入力し、垂直同期信号に相当する同期信号のリーデ
ィング・エッジを検出する同期信号検出手段、
　上記リーディング・エッジの検出後、所定期間内に映像信号に含まれるパルスをカウントし、カウント数に応じた信号を出力するパルス検出手段、および
　上記パルス検出手段からの信号に応答して上記映像信号がいかなるモードの映像信号かを判別する映像信号判別手段、
　を備えた映像信号のモード判別装置。」
［相違点１］
　上記「パルス検出手段」が、本願発明では、「同期信号検出手段によりリーディング・エッジが検出されたことに応じてリセットされ」るのに対し、引用発明では、そのような点についての開示はない点。
［相違点２］
　本願発明では、上記パルス検出手段から出力されるカウント数に応じた信号が、「所定期間内に所定数以上のパルスが上記映像信号に含まれていることまたは含まれていないことを示す信号」であり、上記映像信号判別手段が、「パルス検出手段から所定数以上のパルスが含まれていることを示す信号が出力されたことに応答して上記映像信号が正規の映像信号であると判別し、かつ所定数以上のパルスが含まれていないことを示す信号が出力されたことに応答して上記映像信号が特殊の映像信号であると判別する」のに対し、引用発明では、上記カウント数に応じた信号が、所定期間内に映像信号に含まれるパルスのカウント数であり、上記映像信号判別手段が、パルス検出手段からの信号に応答して上記映像信号がいかなる表示モードの映像信号かを判別する点。
　
４．判断
　そこで上記相違点について検討する。
　相違点１について
　引用発明では、カウンタ４は、垂直同期パルスｂと同期した単一パルスｃのパルス期間Ｔａ内の水平同期パルスおよび等化パルスｄのパルス数をカウントしており（前掲記載（ｄ））、そうすると、引用発明において、カウンタ４を垂直同期パルスのリーディング・エッジの検出時点でリセットすることは、当業者が適宜なし得ることである。
　したがって、上記相違点１は必要に応じて適宜なし得る事項であって格別なものとはいえない。
　相違点２について
　相違点２に係る本願発明の構成は、明細書での説明に照らすと、垂直同期信号に相当する同期信号のリーディング・エッジの検出後、所定期間内に映像信号に所定数以上のパルスが含まれているかどうかを検出し、所定数以上のパルスが含まれていることが検出されれば前記映像信号が正規の映像信号であると判別し、含まれていなければ特殊の映像信号と判別するようにしたものといえるところ、一般に計数手段によりモード判別を行うものにおいて、計数結果が所定数以上か否かで判別することは常套の手段であり、また、正規の映像信号であるか特殊の映像信号かのモード判別においても、所定期間内の映像信号に含まれるパルスのカウント値が所定数以上か否かでモード判別を行うことは、例えば、特公平１−２４３９２号公報等で開示されるように周知の事項である。
　一方、引用発明は、垂直同期パルスと同期した単一パルスの所定のパルス期間に映像信号に含まれるパルスの数をカウントし、このカウント値によって映像信号のモードを判別するもので、２種類の映像信号のモードを判別することも可能であることは当業者に明らかであり、そうすると、引用発明において、上記周知の事項を適用し、上記所定の期間に映像信号に含まれるパルスのカウント値が所定数以上か否かで正規の映像信号か特殊の映像信号かを判別するようにすることは当業者が適宜なし得ることであるといえる。したがって、上記相違点２に係る本願発明の構成は、当業者に想到困難な格別のものであるとすることはできない。
　以上判断したとおり、本願発明の前記引用発明に対する各相違点は当業者が容易に想到し得たといえるものであり、また本願発明の効果についてみても、当業者が当然に予測し得る程度のものにすぎず、格別顕著なものがあるとはいえない。
　
５．むすび
　以上のとおりであるから、請求項１に係る本願発明は、引用例１に記載された発明、及び周知の事項に基づいて当業者が容易に発明をすることができたものであり、したがって特許法第２９条第２項の規定により特許を受けることができない。
　それ故、本願は他の請求項２ないし４に係る発明について特に検討するまでもなく拒絶されるべきものである。
　よって、結論のとおり審決する。